(57)【要約】      （修正有）【課題】折り畳まれた吸収性物品を展開しても着用者に違和感を与えることなく、着用者の身体にフィットさせることができる吸収性物品を提供する。【解決手段】表面シート２０と裏面シート３０と吸収体１０とを有する吸収性物品であって、幅方向に延出する一対の羽部１ｗは裏面シート側にそれぞれ粘着部を有しており、吸収体には厚さ方向の肌側に突出して折れ曲がるように誘導する折り誘導部が長手方向に沿って設けられており、折り誘導部は長手方向において少なくとも粘着部が位置する領域１ｒに設けられており、吸収性物品には表面シートを内側にして折り畳むための幅方向に沿った複数の折り畳み部１ｆが設けられており、折り畳み部は長手方向において粘着部が位置する領域には設けられておらず、折り畳み部は粘着部が位置する領域より長手方向一方側及び粘着部が位置する領域より長手方向他方側にそれぞれ一つ以上設けられている。【選択図】図１
2016189856.tif 000002
【特許請求の範囲】
【請求項１】
互いに直交する長手方向と幅方向と厚さ方向とを有し、前記厚さ方向の肌側に位置する表面シートと、前記厚さ方向の非肌側に位置する裏面シートと、前記表面シートと前記裏面シートとの間に配置された吸収体とを有する吸収性物品であって、
前記幅方向に延出する一対の羽部を有し、
前記一対の羽部は、前記裏面シート側にそれぞれ粘着部を有しており、
前記吸収体には、前記厚さ方向の肌側に突出して折れ曲がるように誘導する折り誘導部が前記長手方向に沿って設けられており、
前記折り誘導部は、前記長手方向において、少なくとも前記粘着部が位置する領域に設けられており、
前記吸収性物品には、前記表面シートを内側にして折り畳むための、前記幅方向に沿った複数の折り畳み部が設けられており、
前記折り畳み部は、前記長手方向において、前記粘着部が位置する領域には設けられておらず、
前記折り畳み部は、前記粘着部が位置する領域より前記長手方向一方側、及び前記粘着部が位置する領域より前記長手方向他方側に、それぞれ一つ以上設けられていることを特徴とする吸収性物品。
【請求項２】
請求項１に記載の吸収性物品において、
前記折り畳み部は、前記表面シート、前記裏面シート、及び前記吸収体に設けられており、
前記折り誘導部は、前記表面シート、及び前記裏面シートに設けられていないことを特徴とする吸収性物品。
【請求項３】
請求項１又は２に記載の吸収性物品において、
前記折り畳み部で折り畳まれた前記吸収性物品を包装する包装材が備えられており、
前記包装材には、前記折り誘導部が設けられていないことを特徴とする吸収性物品。
【請求項４】
請求項１から３のいずれか１項に記載の吸収性物品において、
前記吸収性物品の前記裏面シートの非肌側には裏側粘着部を有しており、
前記裏側粘着部と前記包装材の間には剥離シートが備えてられており、
前記剥離シートには、前記折り誘導部が設けられていないことを特徴とする吸収性物品。
【請求項５】
請求項１から４のいずれか１項に記載の吸収性物品において、
前記吸収性物品の前記長手方向の一方側は、着用者の身体前側に当接する前側であり、前記吸収性物品の前記長手方向の他方側は、着用者の身体後側に当接する後側であり、
前記粘着部が位置する領域より前記後側に位置する前記折り畳み部は、前記羽部より前記後側に設けられることを特徴とする吸収性物品。
【請求項６】
請求項５に記載の吸収性物品において、
前記粘着部が位置する領域より前記前側に位置する前記折り畳み部は、前記羽部より前記前側に設けられることを特徴とする吸収性物品。
【請求項７】
請求項１から６のいずれか１項に記載の吸収性物品において、
前記吸収性物品の前記長手方向の一方側は、着用者の身体前側に当接する前側であり、前記吸収性物品の前記長手方向の他方側は、着用者の身体後側に当接する後側であり、
前記吸収体と前記表面シートとを圧搾により接合した圧搾部が、前記長手方向に沿って設けられており、
前記圧搾部は、前記長手方向において、少なくとも前記粘着部が位置する領域に設けられており、
前記折り畳み部は、前記吸収性物品を、折り畳み基準線を基準として折り畳むことにより形成されており、
前記粘着部が位置する領域より前記後側に位置する前記折り畳み基準線と、前記圧搾部とが交差していないことを特徴とする吸収性物品。
【請求項８】
請求項７に記載の吸収性物品において、
前記粘着部が位置する領域より前記前側に位置する前記折り畳み基準線と、前記圧搾部とが交差していることを特徴とする吸収性物品。
【発明の詳細な説明】
【技術分野】
【０００１】
本発明は、生理用ナプキン等の吸収性物品に関する。
【背景技術】
【０００２】
経血等の排泄液を吸収する吸収性物品として生理用ナプキンが知られており、良好な装着性とコンパクトな包装をする吸収性物品として、特許文献１に、吸収性物品の前方部の表面側を凸状に、後方部の表面側を凹状に屈曲させ、且つ、この屈曲に合わせて折り畳むことが開示されている。
【先行技術文献】
【特許文献】
【０００３】
【特許文献１】特開平４−３４１２６１号公報
【発明の概要】
【発明が解決しようとする課題】
【０００４】
しかしながら、このような吸収性物品は、折り畳まれた吸収性物品を使用時に展開すると、一律に前方部を凸状及び後方部を凹状としているため、着用者の身体にフィットせず、着用者に違和感を与えてしまう。
【０００５】
本発明は、上記のような問題に鑑みてなされたものであって、折り畳まれた吸収性物品を展開しても着用者に違和感を与えることなく、着用者の身体にフィットさせることができる吸収性物品を提供することを目的とする。
【課題を解決するための手段】
【０００６】
上記目的を達成するための主たる発明は、
互いに直交する長手方向と幅方向と厚さ方向とを有し、前記厚さ方向の肌側に位置する表面シートと、前記厚さ方向の非肌側に位置する裏面シートと、前記表面シートと前記裏面シートとの間に配置された吸収体とを有する吸収性物品であって、前記幅方向に延出する一対の羽部を有し、前記一対の羽部は、前記裏面シート側にそれぞれ粘着部を有しており、前記吸収体には、前記厚さ方向の肌側に突出して折れ曲がるように誘導する折り誘導部が前記長手方向に沿って設けられており、前記折り誘導部は、前記長手方向において、少なくとも前記粘着部が位置する領域に設けられており、前記吸収性物品には、前記表面シートを内側にして折り畳むための、前記幅方向に沿った複数の折り畳み部が設けられており、前記折り畳み部は、前記長手方向において、前記粘着部が位置する領域には設けられておらず、前記折り畳み部は、前記粘着部が位置する領域より前記長手方向一方側、及び前記粘着部が位置する領域より前記長手方向他方側に、それぞれ一つ以上設けられていることを特徴とする吸収性物品である。
本発明の他の特徴については、本明細書及び添付図面の記載により明らかにする。
【発明の効果】
【０００７】
本発明によれば、羽部の粘着部は、通常の使用時には、着用者の股下に配置されるため、羽部の粘着部が位置する領域に設けられた折り誘導部を基点に表面シート側に突出する形状となり、着用者の膣口等の排泄口にフィットさせることができる。また、折り畳み部が、粘着部が位置する領域に設けられていないため、折り畳み部によって折り誘導部の突出形状が崩される恐れを軽減し、かつ、折り畳み部より前側及び後側については着用者の身体前側や身体後側（お尻）部分の形状に沿いやすくなるため、着用者の違和感を軽減させつつ、折り畳むことができる吸収性物品を提供することができる。
【図面の簡単な説明】
【０００８】
【図１】生理用ナプキン１を厚さ方向の肌側から見た平面図である。
【図２】ナプキン１を厚さ方向の非肌側から見た平面図である。
【図３】図１中のＩＶ−ＩＶ矢視で示す分解図である。
【図４】吸収体１０を厚さ方向の非肌側から見た平面図である。
【図５】図５Ａは、吸収体１０の折れ曲がり状態を図１中のＶＩ−ＶＩ矢視で示す模式図であり、図５Ｂは、ナプキン１の折れ曲がり状態を図１中のＶＩ−ＶＩ矢視で示す模式図である。
【図６】折れ線ＬＢに沿って厚さ方向の肌側に突出するように折れ曲がるナプキン１が、良好なフィット性を奏することを説明するための正面視の模式図である。
【図７】図７Ａは、吸収性コア１１を幅方向に沿って切断した切断面の模式図で、切断面において折れ線ＬＢに対応する部分を拡大して示す模式図であり、図７Ｂは、図７ＡのＢ部の電子顕微鏡写真である。
【図８】図８Ａ〜図８Ｃは、第１実施形態における生理用ナプキン包装体１０１の折り畳み方について説明する図であり、図８Ｄは、使用する際の展開状態のナプキン包装体１０１について説明する図である。
【図９】図９は、折り畳まれたナプキン１を展開したときのナプキン１を厚さ方向の肌側から見た平面図である。
【図１０】図１０は、着用者２０１がナプキン１を着用している状態の側面図である。
【発明を実施するための形態】
【０００９】
本明細書及び添付図面の記載により、少なくとも以下の事項が明らかとなる。
互いに直交する長手方向と幅方向と厚さ方向とを有し、前記厚さ方向の肌側に位置する表面シートと、前記厚さ方向の非肌側に位置する裏面シートと、前記表面シートと前記裏面シートとの間に配置された吸収体とを有する吸収性物品であって、前記幅方向に延出する一対の羽部を有し、前記一対の羽部は、前記裏面シート側にそれぞれ粘着部を有しており、前記吸収体には、前記厚さ方向の肌側に突出して折れ曲がるように誘導する折り誘導部が前記長手方向に沿って設けられており、前記折り誘導部は、前記長手方向において、少なくとも前記粘着部が位置する領域に設けられており、前記吸収性物品には、前記表面シートを内側にして折り畳むための、前記幅方向に沿った複数の折り畳み部が設けられており、前記折り畳み部は、前記長手方向において、前記粘着部が位置する領域には設けられておらず、前記折り畳み部は、前記粘着部が位置する領域より前記長手方向一方側、及び前記粘着部が位置する領域より前記長手方向他方側に、それぞれ一つ以上設けられていることを特徴とする吸収性物品。
【００１０】
このような吸収性物品によれば、羽部の粘着部は、通常の使用時には、着用者の股下に配置されるため、羽部の粘着部が位置する領域に設けられた折り誘導部を基点に表面シート側に突出する形状となり、着用者の膣口等の排泄口にフィットさせることができる。また、折り畳み部が、粘着部が位置する領域に設けられていないため折り畳み部によって折り誘導部の突出形状が崩される恐れを軽減し、かつ、折り畳み部より前側及び後側については着用者の身体前側や身体後側（お尻）部分の形状に沿いやすくなるため、着用者の違和感を軽減させつつ、折り畳むことができる吸収性物品を提供することができる。
【００１１】
かかる吸収性物品であって、前記折り畳み部は、前記表面シート、前記裏面シート、及び前記吸収体に設けられており、前記折り誘導部は、前記表面シート、及び前記裏面シートに設けられていないことが望ましい。
【００１２】
このような吸収性物品によれば、折り畳み部は折り誘導部より多くの部材を幅方向に沿って折り畳むため、長手方向に沿った表面側に突出する折り誘導部の影響を、より緩和することができる。これによって、着用者の身体前側や身体後側（お尻）部分の形状に沿いやすくなり、着用時の違和感を軽減させることができる。
【００１３】
かかる吸収性物品であって、前記折り畳み部で折り畳まれた前記吸収性物品を包装する包装材が備えられており、前記包装材には、前記折り誘導部が設けられていないことが望ましい。
【００１４】
このような吸収性物品によれば、最も露出している包装材に、折り誘導部を設けないこととすることで、着用者が一見して吸収性物品の折り誘導部を視認しにくく、不良品等の印象を持つことを軽減することができる。
【００１５】
かかる吸収性物品であって、前記吸収性物品の前記裏面シートの非肌側には裏側粘着部を有しており、前記裏側粘着部と前記包装材の間には剥離シートが備えてられており、前記剥離シートには、前記折り誘導部が設けられていないことが望ましい。
【００１６】
このような吸収性物品によれば、包装材と吸収性物品との間に位置する剥離シートに折り誘導部を設けないことで、着用者が一見して吸収性物品の折り誘導部を視認しにくく、不良品等の印象を持つことを軽減することができる。
【００１７】
かかる吸収性物品であって、前記吸収性物品の前記長手方向の一方側は、着用者の身体前側に当接する前側であり、前記吸収性物品の前記長手方向の他方側は、着用者の身体後側に当接する後側であり、前記粘着部が位置する領域より前記後側に位置する前記折り畳み部は、前記羽部より前記後側に設けられることが望ましい。
【００１８】
このような吸収性物品によれば、後側の折り畳み部を、吸収性物品の羽部より後側に設けることで、より表面シート側に突出する領域を広く保つことができる。
【００１９】
かかる吸収性物品であって、前記粘着部が位置する領域より前記前側に位置する前記折り畳み部は、前記羽部より前記前側に設けられることが望ましい。
【００２０】
このような吸収性物品によれば、前側の折り畳み部を、吸収性物品の羽部より前側に設けることで、より表面シート側に突出する領域を広く保つことができる。
【００２１】
かかる吸収性物品であって、前記吸収性物品の前記長手方向の一方側は、着用者の身体前側に当接する前側であり、前記吸収性物品の前記長手方向の他方側は、着用者の身体後側に当接する後側であり、前記吸収体と前記表面シートとを圧搾により接合した圧搾部が、前記長手方向に沿って設けられており、前記圧搾部は、前記長手方向において、少なくとも前記粘着部が位置する領域に設けられており、前記折り畳み部は、前記吸収性物品を、折り畳み基準線を基準として折り畳むことにより形成されており、前記粘着部が位置する領域より前記後側に位置する前記折り畳み基準線と、前記圧搾部とが交差していないことが望ましい。
【００２２】
粘着部が位置する領域に設けられた圧搾部は、着用者が吸収性物品を着用し、着用者の股で挟むと、吸収性物品の幅方向中央へ向かって寄せられる。その結果、吸収体の折り誘導部が表面シート側に突出することとなるが、このような吸収性物品によれば、圧搾部と後側の折り畳み基準線とが交差しないことで、折り畳み基準線より後方は、折り畳み基準線が表面シート側への突出をより軽減させ、着用者の身体後側（お尻）に沿った表面シート側が凹となる形状にすることができ、着用者の違和感を軽減させることができる。
【００２３】
かかる吸収性物品であって、前記粘着部が位置する領域より前記前側に位置する前記折り畳み基準線と、前記圧搾部とが交差していることが望ましい。
【００２４】
このような吸収性物品によれば、圧搾部と前側の折り畳み基準線とが交差することで、吸収体の表面シート側に突出する形状をより保つことができる。
【００２５】
＝＝＝第１実施形態＝＝＝
図１乃至図５Ｂは、本実施形態の吸収性物品の一例としての生理用ナプキン１の説明図であり、生理用ナプキン包装体１０１として折り畳む前の生理用ナプキン１の説明図である。図１は、ナプキン１を厚さ方向の肌側から見た平面図であり、図２は、ナプキン１を厚さ方向の非肌側から見た平面図である。また、図３は、図１中のＩＶ−ＩＶ矢視で示す分解図である。更に、図４は、吸収体１０を厚さ方向の非肌側から見た平面図である。また、図５Ａは、吸収体１０の折れ曲がり状態を図１中のＶＩ−ＶＩ矢視で示す模式図であり、図５Ｂは、ナプキン１の折れ曲がり状態を図１中のＶＩ−ＶＩ矢視で示す模式図である。
【００２６】
図１乃至図３に示すように、生理用ナプキン１（以下、「ナプキン」という。）は、長手方向と幅方向と厚さ方向とを有した縦長形状のシート状部材である。ナプキン１は、厚さ方向の肌側から非肌側へと順に、液透過性のエアスルー不織布等からなる表面シート２０と、吸液性の吸収体１０と、液不透過性のＰＥフィルム等からなる裏面シート３０と、が積層されている。そして、これら各部材２０、１０、３０は、それぞれ、厚さ方向に隣接する部材と、ホットメルト接着剤等の接着剤ＨＭＡで接合されている。また、以下では、長手方向において着用者の身体前面の腹側に相当する方向のことを「前側」とも言いい、身体後面の背側に相当する方向のことを「後側」とも言う。また、図１及び図２中のＡ−Ａ線は、ナプキン１の長手方向中心を示している。
【００２７】
図１に示すように、表面シート２０及び裏面シート３０の平面サイズは、吸収体１０の平面サイズよりも大きい。よって、これら両シート２０、３０の外周縁部２０ｅ、３０ｅ（図１中でドット模様の部分を参照）は、それぞれ吸収体１０から長手方向の外方及び幅方向の外方に突出している。そして、外周縁部２０ｅ、３０ｅ同士が接着又は溶着で接合されることにより、これら両シート２０、３０同士の間に吸収体１０が保持されている。
【００２８】
また、本実施形態では、両シート２０、３０の平面形状は互いに同じで、長手方向の略中央部から幅方向の両側に延出した形状で、この延出した形状の部分２０ｗ、３０ｗが、ナプキン１を下着（不図示）に載置固定する際に用いられる羽部１ｗ、１ｗとして機能する。羽部１ｗは、羽部１ｗの延出基点である羽部根本部１ｎから幅方向における最も広い部分まで延出された領域である。本実施形態における羽部根本部１ｎは、ナプキン１の長手方向の略中央部の前後に設けられており、長手方向中央部よりも前側において最も大きくくびれている部分のうち、幅方向において最も狭い部分、及び長手方向中央部よりも後側において最も大きくくびれている部分のうち、幅方向において最も狭い部分をいう。図２及び図３に示すように、裏面シート３０において各羽部１ｗに対応する部分３０ｗの非肌側面には、ナプキン１を下着に固定するための粘着部４０ｗが適宜な接着剤で例えば略矩形状に形成されている。このとき、長手方向における粘着部４０ｗが位置する領域（図１及び図２の２点鎖線領域）を領域１ｒとする。
【００２９】
裏面粘着部４０ｃが、裏面シート３０の非肌側面における羽部１ｗ、１ｗ同士の間の部分３０ｃにも、適宜な接着剤で例えば長手方向に沿った複数の帯状に形成されている。但し、粘着部４０ｗ、及び裏側粘着部４０ｃの配置パターンは何等これに限らない。
【００３０】
また、図１に示すように、表面シート２０の肌側面には、肌側から複数の圧搾部Ｅ，Ｅ…が形成され、表面シート２０と吸収体１０が一緒に厚さ方向に圧搾されて接合一体化されている。ナプキン１は、柔らかい素材で形成されているところ、圧搾部Ｅは、剛性が高められた領域であり、外部からの力を受けやすい部分である。本実施形態において、この圧搾部Ｅは、２種類の圧搾部ＥＬ，ＥＤが形成されている。
【００３１】
一方の圧搾部Ｅは、線状圧搾部ＥＬである。線状圧搾部ＥＬ、ＥＬ…は、吸収体１０の外周縁部に沿って、前側圧搾部ＥＬｆ、中央圧搾部ＥＬｃ、後側圧搾部ＥＬｂ、最後尾圧搾部ＥＬｅが複数連なって形成されていて、全体として長手方向に長い略環状をなしている。各線状圧搾部ＥＬｆ、ＥＬｃ、ＥＬｂ、ＥＬｅは連結されておらず、隣接する線状圧搾部ＥＬと長手方向においてオーバーラップするように配置されている。この各線状圧搾部ＥＬｆ、ＥＬｃ、ＥＬｂ、ＥＬｅを連結させないことによって、外部からの動きを各線状圧搾部ＥＬｆ、ＥＬｃ、ＥＬｂ、ＥＬｅが互いに伝達することを軽減させる。着用者の身体前側又は後側が動くときは、前側圧搾部ＥＬｆ、後側圧搾部ＥＬｂ、最後尾圧搾部ＥＬｅは身体の動きを受け、ナプキン１の各圧搾部ＥＬｆ、ＥＬｂ、ＥＬｅが設けられた部分の領域を身体に沿わせることができる一方、中央圧搾部ＥＬｃには他の各圧搾部ＥＬｆ、ＥＬｂ、ＥＬｅから動きが伝達されることを軽減し、着用者の身体の中央で排泄液等を吸収できるようにすることができる。
【００３２】
前側圧搾部ＥＬｆ及び最後尾圧搾部ＥＬｅについては、ナプキン１の前側及び後側の外形に沿った形状であり、中央圧搾部ＥＬｃ及び後側圧搾部ＥＬｂについては、それぞれ２つずつ長手方向に沿って形成されている。なお、この中央圧搾部ＥＬｃ及び後側圧搾部ＥＬｂは、着用者が着用する際に、ナプキン１を固定させた下着を引き上げたときに、上方向への力が特に加えられる部分である。
【００３３】
他方、もう一方の圧搾部Ｅは、点状圧搾部ＥＤである。点状圧搾部ＥＤ、ＥＤ…は、複数の線状圧搾部ＥＬ、ＥＬ…が表面シート２０上に区画する略閉じた領域ＡＥＬ内に離散的に形成されている。なお、本実施形態では、各点状圧搾部ＥＤは直径１ｍｍの円形であり、千鳥配置パターンで配置されているが、何等これに限らない。更に言えば、これら点状圧搾部ＥＤ及び線状圧搾部ＥＬは無くても良い。
【００３４】
図１及び図２に示すように、ナプキン１は、表面シート２０（肌側）を内側にして、折り畳み基準線１ｆｂを基準に折り畳むことで、図９に示すような折り畳み部１ｆが形成される。折り畳み部１ｆについては、後述する。
【００３５】
折り畳み基準線１ｆｂは、ナプキン１を折り畳む際の基点となる線であり、後述のナプキン包装体１０１の第１折り目Ｆ１及び第２折り目Ｆ２に対応する線である。
【００３６】
このとき、前側の折り畳み基準線１ｆｂは、羽部１ｗより前側に形成されている。後側の折り畳み部１ｆは、羽部１ｗより後側で、ナプキン１の幅方向において狭くて、最も大きくくびれた部分より後側に形成されている。
【００３７】
図４に示すように、吸収体１０は、液体吸収性繊維等を、長手方向に長い縦長形状に成形した吸収性コア１１と、吸収性コア１１の肌側面を覆うための吸収性コア１１と平面形状が略同形の肌側シート１２と、吸収性コア１１を非肌側面から覆うための吸収性コア１１と平面形状が略同形の非肌側シート１３と、を有している。そして、図３に示すように、各シート１２、１３は、それぞれ、吸収性コア１１にホットメルト接着剤等の接着剤ＨＭＡで接合一体化されていて、これにより、各シート１２、１３は、吸収性コア１１の所謂よれや崩れなどの不用な変形を防止する。
【００３８】
吸収性コア１１は、例えば坪量１００（ｇ／ｍ2）〜４００（ｇ／ｍ2）の範囲で液体吸収性繊維としてセルロース系吸水性繊維と熱可塑性樹脂繊維とを有し、これら繊維同士は互いに混合した状態となっている。この例では、前者の一例としてパルプ繊維が使用され、後者の一例として、鞘がポリエチレン（ＰＥ）で芯がポリエチレンテレフタレート（ＰＥＴ）の所謂鞘芯構造の複合繊維が３０ｍｍの繊維長で使用されているが、何等これに限らない。例えば、前者としてレーヨン繊維を使用しても良く、また、後者としてポリエチレン（ＰＰ）の単独繊維や、ＰＥの単独繊維を用いても良い。更に言えば、後者の熱可塑性樹脂繊維については無くても良い。
【００３９】
また、吸収性コア１１は、液体吸収性繊維に加えて高吸収性ポリマー（ＳＡＰ）等の液体吸収性粒状物も坪量５（ｇ／ｍ2）〜５０（ｇ／ｍ2）の範囲で有している。このＳＡＰも省略可能である。
【００４０】
更に、本実施形態では、肌側シート１２として例えば坪量が１０（ｇ／ｍ2）〜７０（ｇ／ｍ2）の範囲の液透過性のエアスルー不織布を使用している。また、この肌側シート１２も省略可能である。また、非肌側シート１３としては例えば坪量が１０（ｇ／ｍ2）〜５０（ｇ／ｍ2）の範囲のＳＭＳ（スパンボンド／メルトブローン／スパンボンド）不織布を使用している。また、非肌側シート１３についても省略可能である。
【００４１】
図４に示すように、吸収体１０は、非肌側からも点状圧搾部ＥＤ１０が圧搾形成されている。すなわち、肌側シート１２と吸収性コア１１と非肌側シート１３とが厚さ方向に一緒に圧搾されることにより、圧搾部ＥＤ１０が形成されている。これにより、剛性が高められ、よれ等の不用な変形を抑制可能となっている。なお、本実施形態では、圧搾部ＥＤ１０の平面形状は直径１．２ｍｍの円形で、また圧搾部ＥＤ１０，ＥＤ１０…の配置パターンは千鳥パターンとされているが、何等これに限らない。また、圧搾部ＥＤ１０及び圧搾部ＥＬ，ＥＤが形成された吸収体１０の厚さの最大値は、例えば０．５ｍｍ〜５ｍｍの範囲に収められているが、何等これに限らない。
【００４２】
一方、図４及び図５Ａに示すように、吸収体１０には、幅方向の略中央位置に、折れ曲がるように誘導する折れ線ＬＢ（折れ誘導部）が、長手方向に沿って一直線に全長に亘って形成されている。これにより、図５Ａに示すように、吸収体１０は、折れ線ＬＢに沿って厚さ方向の肌側に突出して折れ曲がるように誘導される。これに伴い、図５Ｂに示すように、ナプキン１も、幅方向の略中央位置が肌側に突出して折れ曲がるように誘導される。よって、図６に示すように着用者２０１がナプキン１を股間２０１Ｋに装着すべく、クロッチ部にナプキン１が載置固定された下着（不図示）を股間２０１Ｋの方へ引き上げると、ナプキン１の肌側に突出した部分が、膣口等の排泄口２０１Ｈｅが存在する陰唇に接して、ナプキン１は良好なフィット性を奏することができる。
【００４３】
このとき、この肌側に突出するように折れ曲がった吸収性コア１１は図７Ａ及び図７Ｂに示すような形状をしている。図７Ａは、吸収性コア１１を幅方向に沿って切断した切断面の模式図で、切断面において折れ線ＬＢに対応する部分を拡大して示す模式図であり、図７Ｂは、図７ＡのＢ部の電子顕微鏡写真である。なお、これら図７Ａの模式図及び図７Ｂの電子顕微鏡の写真は、工夫を見易くする目的で、通常の状態よりも若干幅方向の寸法を狭める等して若干折れ曲がり状態をきつくしたものである。
【００４４】
このナプキン１の吸収性コア１１は、幅方向の折れ線ＬＢの位置において形成されて、液体吸収性繊維の分布密度が周囲の部分よりも低い低密度部分１１ＤＬと、低密度部分１１ＤＬよりも厚さ方向の肌側に位置する肌側層１１ｓと、低密度部分１１ＤＬよりも厚さ方向の非肌側に位置する非肌側層１１ｎｓと、を有し、低密度部分１１ＤＬには、液体吸収性繊維が存在しており、肌側層１１ｓは、折れ線ＬＢに対応する部分１１ｓＬＢが厚さ方向の肌側に突出するように折れ曲がっている。
【００４５】
吸収性コア１１の肌側層１１ｓを肌側に突出するような折れ曲がり形状にするための曲げ誘導部の形成方法は、例えば、圧搾部ＥＤ１０が形成された吸収体１０を、その肌側面が外周側となるようにしながら幅方向に二つ折りして、互いに対向する部分を厚さ方向に重ね合わせるとともに、この二つ折り状態で吸収体１０を上下一対のプレスロール同士の間に通すことにより、これらプレスロールで二つ折り状態の吸収体１０を厚さ方向にプレスする。そして、このプレス後に、二つ折り状態の吸収体１０を幅方向に開いて二つ折り状態を解除にすれば、幅方向の中央位置に長手方向に沿った折れ線ＬＢが形成されるとともに、吸収性コア１１における肌側層１１ｓと非肌側層１１ｎｓとの間の部分では層間剥離等が生じる。これにより、この部分に低密度部分１１ＤＬが形成され、肌側層１１ｓには肌側に突出した形状が残留する。
【００４６】
続いて、ナプキン１が個別に包装された個装体の一例として、生理用ナプキン包装体１０１（以下、「ナプキン包装体」という。）について説明する。
【００４７】
図８Ａ〜図８Ｃは、第１実施形態における生理用ナプキン包装体１０１の折り畳み方について説明する図であり、図８Ｄは、使用する際の展開状態のナプキン包装体１０１について説明する図である。
【００４８】
ナプキン包装体１０１は、ナプキン１と、包装シート（包装材）１１１と、セパレーター（剥離シート）１２１、羽部セパレーター１２１ｗと、テープ１３１とを有する。
【００４９】
包装シート１１１は、ナプキン１を個別に包装するプラスチックフィルム等の各種フィルムからなるシート状の包装部材であり、ナプキン１の使用時には、取り外される部材である。本実施形態において、包装シート１１１は、矩形状であり、ナプキン１を折り畳む際には、ナプキン１の全体を覆うことが可能な程度の大きさを有する。
【００５０】
セパレーター１２１は、ナプキン１の裏面シート３０に形成された裏面粘着部４０ｃと包装シート１１１との間に配置されるシート状の部材であり、裏面粘着部４０ｃの粘着性が弱くなることを抑制するとともに、粘着部４０ｃを保護する。ナプキン１を使用する際には、包装シート１１１とともに離脱させられる。セパレーター１２１は、上面で裏面粘着部４０ｃを介して裏面シート３０と対向し、下面で包装シート１１１と接着されている。
【００５１】
羽部セパレーター１２１ｗは、表面シート２０側を内側に折り畳まれた羽部１ｗの粘着部４０ｗの表面に載置するシート状部材であり、セパレーター１２１と同様の素材で、粘着部４０ｗの粘着性が弱くなることを抑制するとともに、粘着部４０ｗを保護するために用いる。セパレーター１２１と同様に、ナプキン１を使用する際には離脱させられる。
【００５２】
図８Ａは、羽部１１ｗ及びナプキン１の幅方向端部が折り畳まれ、粘着部４０ｗが上下方向の上側（肌側）に位置する状態の、長手方向に展開された状態のナプキン包装体１０１を表す図である。このとき、ナプキン包装体１０１は、下から包装シート１１１、セパレーター１２１、ナプキン１、羽部セパレーター１２１ｗが重ねて配置されている。
【００５３】
本実施形態において、包装シート１１１及びセパレーター１２１には、予め折れ線ＬＢを形成していない。最も露出され着用者の目に入る包装シート１１１やセパレーター１２１には折れ線ＬＢが形成されないことで、着用者が一見して吸収体の折れ線ＬＢに気付いて不良品等と感じる恐れを軽減させ、着用者に安心感を与えることができる。
【００５４】
ナプキン包装体１は、幅方向に沿った第１折り目Ｆ１及び第２折り目Ｆ２が設けられ、第１折り目Ｆ１は、ナプキン１の長手方向の中央よりも後側に設けられ、第２折り目は、ナプキン１の長手方向中央よりも前側に設けられ、第１折り目Ｆ１及び第２折り目Ｆ２を基点として包装シート１１１、セパレーター１２１、及びナプキン１が一緒に折り畳まれる。このとき、第１折り目Ｆ１及び第２折り目Ｆ２は、ナプキン１の折り畳み基準線１ｆｂに対応する。
【００５５】
図８Ｂは、ナプキン包装体１０１の折り畳み方について説明する図である。まず、ナプキン１の表面シート２０側が内側となるように、ナプキン包装体１０１の後側が第１折り目Ｆ１を基点に折り畳まれる。これにより、ナプキン１の後側が折り畳み基準線１ｆｂを基点に折り畳まれる。
【００５６】
続いて、ナプキン１の表面シート２０側が内側となるように、ナプキン包装体１０１の前側が第２折り目Ｆ２を基点として折り畳まれる。同様に、ナプキン１の前側が折り畳み基準線１ｆｂを基点に折り畳まれる。
【００５７】
このとき、第１折り目Ｆ１と第２折り目Ｆ２との間の距離をできるだけ長くすることが好ましい。第１折り目Ｆ１と第２折り目Ｆ２との間の距離を長くすることで、ナプキン１の二つの折り畳み部１ｆ間の距離を長くすることができ、折れ線ＬＢによる肌側に突出する領域を長くすることができる。
【００５８】
図８Ｃは、折り畳まれた状態のナプキン包装体１０１を表す図である。ナプキン１は、包装シート１１１により覆われた状態となり、包装シート１１１の幅方向両端部が長手方向に沿って超音波融着等のシール手段でシールされ、シール領域１１２が形成される。これにより、ナプキン包装体１０１は、図８Ｃのように折り畳まれた状態で維持される。また、包装シート１１１の幅方向中央部には、長手方向前側端部を跨ぐようにテープ１３１が貼付され、ナプキン１の使用前にナプキン包装体１０１が展開することを防ぐ。このとき、第１折り目Ｆ１及び第２折り目Ｆ２は、ナプキン包装体１０１の長手方向における一端と他端に位置する直線である。
【００５９】
着用者がナプキン１を着用する際には、まず、テープ１３１を剥がし、シール領域１１２部分を引き剥がすようにしてナプキン包装体１０１を図８Ｄの状態に展開する。図８Ｄは、折り畳まれたナプキン包装体１０１を展開した状態を表す図である。図９は、折り畳まれたナプキン１を展開したときのナプキン１を厚さ方向の肌側から見た平面図である。
【００６０】
折り畳まれたナプキン１を展開すると、折り畳み基準線１ｆｂを基準に、折り畳み基準線１ｆｂの長手方向前後に、幅方向に沿った複数のしわが形成される。折り畳み基準線１ｆｂを含めこの複数のしわが形成された領域が折り畳み部１ｆである。このとき、折り畳み基準線１ｆｂからおおよそナプキン１の厚さ方向の寸法に相当する距離までこのしわが形成されるため、折り畳み部１ｆの長手方向の長さは、ナプキン１の厚さ方向の寸法の約２倍の長さとなる。例えば、ナプキン１の厚さ方向の寸法が３ｍｍである場合には、折り畳み部１ｆの長手方向の距離は、６ｍｍとなる。
【００６１】
この折り畳み部１ｆは、羽部１ｗより前側と後側にそれぞれ設けられ、領域１ｒには設けられていない。また、後側の折り畳み部１ｆは、羽部１ｗより後側で、ナプキン１の側端のうち、最も大きくくびれた部分で、幅方向に最も狭い部分より後側に形成されることが好ましい。
【００６２】
図１０は、着用者２０１がナプキン１を着用している状態の側面図である。このとき、着用者２０１の下着は省略している。
【００６３】
着用者２０１が折り畳まれた状態のナプキン１を展開すると、ナプキン１は、吸収体１０に形成された折れ線ＬＢにより、ナプキン１が肌側に突出する形状となり、着用者２０１の膣口等の排泄口にフィットする形状となる。通常、粘着部４０ｗが形成された領域１ｒは、着用時には、着用者２０１の股下に配置される領域である。そのため、本実施形態においては、ナプキン１の領域１ｒに折り畳み部１ｆを形成しないことで、折り畳み部１ｆにより領域１ｒ内の突出した形状が崩されることを防ぎ、折れ線ＬＢの肌側に突出した形状を維持できるようにしている。その結果、着用者２０１の排泄口２０１Ｈｅにナプキン１を当接させやすくなり、フィット性を向上させることができる。
【００６４】
このとき、後側の折り畳み部１ｆが羽部１ｗより後側に設けられ、さらに前側の折り畳み部１ｆが羽部１ｗより前側に設けることで、より肌側に突出する範囲を広くすることができる。
【００６５】
本実施形態において、長手方向に沿って形成された折れ線ＬＢは、肌側に突出して折れ曲がる所謂山折りであり、幅方向に沿って形成された折り畳み部１ｆは、肌側を内側に折り畳む所謂谷折りである。また、折れ線ＬＢは、吸収体１０に形成されている一方、折り畳み部１ｆは、吸収体１０を含むナプキン１、包装シート１１１及びセパレーター１２１に形成されており、山折りの折れ線ＬＢより谷折りの折り畳み部１ｆの方がより多くの部材を折っている。そのため、折り畳まれたナプキン１を展開し、着用者２０１がこのナプキン１を着用すると、ナプキン１の長手方向における二つの折り畳み部１ｆの間の領域については、折れ線ＬＢによる山折り形状となるが、前側の折り畳み部１ｆから前方、及び後側の折り畳み部１ｆから後方の領域については、より強く折られた谷折り形状の影響を受けて、山折り形状の肌側への突出が小さくなる。
【００６６】
これにより、長手方向における二つの折り畳み部１ｆの間の領域は、折れ線ＬＢの肌側に突出した形状を維持しつつ、前側の折り畳み部１ｆより前方及び後側の折り畳み部１ｆより後方の領域については、図１０に示すように、着用者２０１の身体前側及び身体後側（お尻）に沿う形状となり、着用者２０１が感じる違和感を軽減することができる。
【００６７】
また、折れ線ＬＢよりも左側で中央圧搾部ＥＬｃまでの幅方向に沿った領域、及び折れ線ＬＢよりも右側で中央圧搾部ＥＬｃまでの幅方向に沿った領域は、できるだけ平面状態を維持することが好ましい。この領域が凹凸形状となると、ナプキンがよれたり、ナプキンから排泄液等が漏れたりする原因となりうるからである。この点、本実施形態では、長手方向における羽部１ｗが位置する領域に折り畳み部１ｆを設けないことで、折れ線ＬＢよりも左側で中央圧搾部ＥＬｃまでの幅方向に沿った領域、及び折れ線ＬＢよりも右側で中央圧搾部ＥＬｃまでの幅方向に沿った領域を平らな面に保ちやすくなる。
【００６８】
また、中央圧搾部ＥＬｃは、後側に位置する折り畳み基準線１ｆｂよりも、後側まで形成されず、後側に位置する折り畳み基準線１ｆｂと中央圧搾部ＥＬｃとは交差していない。さらに、中央圧搾部ＥＬｃは、前側に位置する折り畳み基準線１ｆｂよりも、前側まで形成されており、前側に位置する折り畳み基準線１ｆｂと中央圧搾部ＥＬｃとが交差している。
【００６９】
着用者２０１がナプキン１を下着に固定して着用すると、着用者２０１が、ナプキン１の幅方向内側を股で締めるので、比較的剛性が高められた圧搾部Ｅ、特に線状圧搾部ＥＬのうち長手方向に沿った形状の中央圧搾部ＥＬｃに幅方向内側に向かう力が加えられる。その結果、中央圧搾部ＥＬｃによって折れ線ＬＢがより肌側に突出させられる。このとき、折り畳み基準線１ｆｂは、一番強く折られている部分であるため、中央圧搾部ＥＬｃを後側の折り畳み基準線１ｆｂより後側に形成しないことで、折り畳み基準線１ｆｂより後側が、肌側に突出することをより緩和させ、着用者２０１の身体後側（お尻）に沿った形状とすることができる。身体後側（お尻）は特によく動く部分であるため、できるだけナプキン１の形状を体の形状に沿ったものとすることが好ましく、これにより、着用者２０１の違和感を軽減させることができる。
【００７０】
さらに、中央圧搾部ＥＬｃを前側の折り畳み基準線１ｆｂより前側まで形成することで、肌側に突出させる領域を広く設けることができ、折り畳み基準線１ｆｂより前方の領域については、着用者２０１の身体前側に沿った形状とすることができる。
【００７１】
なお、この中央圧搾部ＥＬｃと各折り畳み基準線１ｆｂとの位置関係はこの限りではない。
中央圧搾部ＥＬｃを後側の折り畳み基準線１ｆｂより後方に形成することとして、より肌側に突出させる領域を広く設けることとしてもよい。
また、中央圧搾部ＥＬｃを前側の折り畳み基準線１ｆｂより前方まで形成しないこととして、折り畳み基準線１ｆｂより前方領域の、肌側への突出をより緩和させ、折り畳み基準線１ｆｂより前方の領域が、着用者２０１の身体前側に沿った形状としてもよい。
【００７２】
ただし、身体後側に比べて身体前側の方が、比較的動きが小さいこと、及び肌側への突出領域をできるだけ確保するという観点から、中央圧搾部ＥＬｃを後側の折り畳み基準線１ｆｂより後方に形成しないこととし、かつ、中央圧搾部ＥＬｃを前側の折り畳み基準線１ｆｂより前側に形成することが好ましい。
【００７３】
なお、吸収体１０と表面シート２０とは複数の点状圧搾部ＥＤによって接合されており、折れ線ＬＢの幅方向の両側にそれぞれ吸収体１０の厚さ以下の幅を有する折り曲げ誘導領域（図示せず）のうち、少なくとも長手方向の中央部には、点状圧搾部ＥＤが形成されていないことが好ましい。
【００７４】
幅方向に隣り合う点状圧搾部ＥＤ同士の間隔が均等であることが好ましく、また、幅方向に隣り合う点状圧搾部ＥＤ同士の間隔は、折り曲げ誘導領域の幅方向の幅よりも広いことが好ましい。さらに、幅方向に隣り合う点状圧搾部ＥＤ同士の間隔は、４ｍｍ以上１５ｍｍ以下であることが好ましい。
【００７５】
点状圧搾部ＥＤは、表面シート２０の肌方向の肌側面に円形の開口部を有し、開口部の直径は０．５ｍｍ以上５ｍｍ以下であることが好ましい。
【００７６】
また、折り曲げ誘導領域では、表面シート２０と吸収体１０との間に接着剤が介在していないことが好ましい。
【００７７】
裏面シート３０の厚さ方向の非肌側で、一対の粘着部４０ｗの幅方向の間には、接着剤ＨＭＡが塗布された領域である裏面粘着部４０ｃが形成されており、複数の点状圧搾部ＥＤのうち、幅方向の最も外側に形成される点状圧搾部ＥＤは、裏面粘着部４０ｃの幅方向の外側端部よりも幅方向の外側に形成されていることが好ましい。
【００７８】
吸収体１０には、表面シート２０を構成する繊維と熱融着可能な熱可塑性繊維が含まれていることが好ましく、また、吸収体１０は、液吸収性の吸収性コア１１と、吸収性コア１１を厚さ方向に覆う各シート１２、１３とを有し、吸収性コア１１と各シート１２、１３とは複数の吸収体点状圧搾部ＥＤ１０によって接合されており、幅方向に隣り合う吸収体点状圧搾部ＥＤ１０同士の間隔は、幅方向に隣り合う点状圧搾部ＥＤ同士の間隔よりも狭いことが好ましい。
【００７９】
さらに、複数の吸収体点状圧搾部ＥＤ１０のうち少なくとも一部は、折り曲げ誘導領域と重複して形成されていることが好ましい。
【００８０】
また、吸収体１０の単位面積当たりの質量が均一で、吸収体１０の厚さは３ｍｍ以下であることが好ましい。
【００８１】
＝＝＝その他の実施形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれる。例えば、以下に示すような変形が可能である。
【００８２】
上述の実施形態では、吸収体１０の折り誘導部として折れ線ＬＢを形成したが、この限りではない。折り誘導部は、二つ折りに折る折れ線だけでなく、刃物等で吸収体１０にスリットを形成したり、吸収体１０を圧搾加工で部分的に厚みが薄い部分を形成したり、吸収体１０の成型時に予め溝を形成することとしても良い。
【００８３】
また、上述の実施形態では、折り誘導部である折れ線ＬＢを吸収体１０の幅方向中央に一つ、長手方向全域に設けることとしたが、これに限られない。折り誘導部は、複数形成してもいいし、また、吸収体１０の長手方向に部分的に形成することとしてもよい。
【００８４】
さらに、上述の実施形態では、折り畳み部１ｆを領域１ｒの前後に一つずつ設けることとしたが、この限りではない。領域１ｒの前後に複数の折り畳み部１ｆを形成してもよい。例えば、夜用等の長時間着用を目的とするナプキン等の場合のように後側を長く形成した場合には、長手方向における領域１ｒより前側には一つの折り畳み部１ｆを形成し、領域１ｒより後方に折り畳み部１ｆを二つ以上形成することとしてもよい。
【符号の説明】
【００８５】
１  生理用ナプキン（吸収性物品）、
１ｆ  折り畳み部、
１ｆｂ  折り畳み基準線、
１ｎ  羽部根本部、
１ｒ  領域（粘着部が位置する領域）、
１ｗ  羽部、
１０  吸収体、
１１  吸収性コア、
１１ＤＬ  低密度部分、
１１ｓ  肌側層、１１ｎｓ  非肌側層、
１１ｓＬＢ  折れ線に対応する部分、
１２  肌側シート、１３  非肌側シート、
２０  表面シート、
２０ｅ  外周縁部、２０ｗ  部分、
３０  裏面シート、
３０ｃ  部分、
３０ｅ  外周縁部３０ｗ  部分、
４０ｃ  裏面粘着部、４０ｗ  粘着部、
１０１  ナプキン包装体、
１１１  包装シート（包装材）、
１１２  シール領域、
１２１  セパレーター（剥離シート）、１２１ｗ  羽部セパレーター
１３１  テープ、
２０１  着用者、２０１Ｋ  股間、２０１Ｈｅ  排泄口、
ＬＢ  折れ線（折り誘導部）、
ＡＥＬ  領域、
Ｅ  圧搾部、
ＥＬ  線状圧搾部、
ＥＬｆ  前側圧搾部、ＥＬｃ  中央圧搾部（圧搾部）、
ＥＬｂ  後側圧搾部、ＥＬｅ  最後尾圧搾部
ＥＤ  点状圧搾部、
ＥＤ１０  圧搾部、
ＨＭＡ  接着剤、
【図１】
2016189856.tif 000003
【図２】
2016189856.tif 000004
【図３】
2016189856.tif 000005
【図４】
2016189856.tif 000006
【図５】
2016189856.tif 000007
【図６】
2016189856.tif 000008
【図８】
2016189856.tif 000009
【図９】
2016189856.tif 000010
【図１０】
2016189856.tif 000011
【図７】
2016189856.tif 000012